(57)【要約】  本発明による化粧品容器は、容器本体と、上記容器本体の内側に装着され、内容物を収納する内容器と、上記内容器の上端を開閉する内蓋と、上記内蓋の上部で上記容器本体の上端を開閉する外蓋と、上記容器本体の下端に一方向に引き出すことができるように備えられる引き出し部と、を含み、上記外蓋の内側面に第１鏡が付着され、上記外蓋と対向する上記内蓋の外側面に第２鏡が付着されることを特徴とする。
2021517038.tif 000002
【特許請求の範囲】
【請求項１】
容器本体と、
前記容器本体の上端を開閉する外蓋と、
前記容器本体の下端に一方向に引き出すことができるように備えられる引き出し部と、
を含み、
前記引き出し部は、前記容器本体に対して少なくとも一部区間でスライド（sliding）されて引き出されることを特徴とする化粧品容器。
【請求項２】
前記容器本体は、
前記引き出し部が引き出される方向の両内側面に沿ってレールが設けられることを特徴とする請求項１に記載の化粧品容器。
【請求項３】
前記レールは、
前記容器本体の後面から前面まで一直線に設けられ、全体区間において前記引き出し部をスライドされながら引き出されることを特徴とする請求項２に記載の化粧品容器。
【請求項４】
前記レールは、
前記容器本体の後面から前面に向かって一定長さで設けられる直線区間及び前記直線区間の端部から前記容器本体の前面に隣接する領域まで設けられるカーブ区間を含むことを特徴とする請求項２に記載の化粧品容器。
【請求項５】
前記引き出し部は、
前記容器本体に対し、前記直線区間でスライドされて引き出され、前記カーブ区間でチルティング（tilting）されながら引き出されることを特徴とする請求項４に記載の化粧品容器。
【請求項６】
前記カーブ区間は、
前記引き出し部を引き出すとき、前記容器本体の下側方向に前記引き出し部がチルティングされるように誘導することを特徴とする請求項５に記載の化粧品容器。
【請求項７】
前記引き出し部は、
引き出される方向の後面に少なくとも１つの後面磁石が設けられ、前記引き出し部が開放された状態で前記後面磁石に対応する上部側に少なくとも１つの固定磁石が設けられ、  前記後面磁石と前記固定磁石との間に発生する磁力によって前記引き出し部が開放された状態で固定されることを特徴とする請求項１に記載の化粧品容器。
【請求項８】
前記固定磁石は、
前記容器本体の前面中央に位置した中間磁石を含むことを特徴とする請求項７に記載の化粧品容器。
【請求項９】
前記後面磁石は、
前記引き出し部の後面中央に位置した第１後面磁石を含むことを特徴とする請求項８に記載の化粧品容器。
【請求項１０】
前記引き出し部は、
前記中間磁石と対応する前面に前面磁石が設けられ、前記中間磁石と前記前面磁石との間に発生する磁力によって前記引き出し部が閉鎖された状態で固定されることを特徴とする請求項８に記載の化粧品容器。
【請求項１１】
前記外蓋は、
前記中間磁石と対応する前面に上部磁石が設けられ、前記中間磁石と前記上部磁石との間に発生する磁力によって前記外蓋が閉鎖された状態で固定されることを特徴とする請求項８に記載の化粧品容器。
【請求項１２】
前記外蓋は、
前記容器本体に対して第１ヒンジ部材によって回転できるように結合され、前記第１ヒンジ部材は前記上部磁石と対向する領域に設けられることを特徴とする請求項１１に記載の化粧品容器。
【請求項１３】
前記容器本体は、
上下に貫通して前記引き出し部の底面が外部に露出され、前記引き出し部の前面と対応する領域が開口され、前記引き出し部の後面と対応する少なくとも一領域が開口されることを特徴とする請求項７に記載の化粧品容器。
【請求項１４】
前記容器本体の上端の内側に装着され、上下に貫通した中容器及び前記中容器の内側に装着され、上部面が開口された内容器をさらに含むことを特徴とする請求項１３に記載の化粧品容器。
【請求項１５】
前記固定磁石は、
前記中容器の前面両端のうち少なくとも何れか１つに隣接して位置した第２固定磁石を含むことを特徴とする請求項１４に記載の化粧品容器。
【請求項１６】
前記後面磁石は、
前記引き出し部の後面両端のうち少なくとも何れか１つに隣接して位置した第２後面磁石を含むことを特徴とする請求項１５に記載の化粧品容器。
【請求項１７】
前記容器本体の内側に装着され、内容物を収納する内容器と、
前記内容器の上端を開閉する内蓋を含み、
前記外蓋の内側面に第１鏡が付着され、前記外蓋と対向する前記内蓋の外側面に第２鏡が付着されることを特徴とする請求項１に記載の化粧品容器。
【請求項１８】
前記第１鏡及び前記第２鏡は、
互いに異なる倍率を有することを特徴とする請求項１７に記載の化粧品容器。
【請求項１９】
前記第１鏡及び前記第２鏡の何れか１つは普通の鏡であり、他の１つは拡大鏡であることを特徴とする請求項１８に記載の化粧品容器。
【請求項２０】
前記外蓋は、
外側周りの一領域に第１ヒンジ部材が設けられ、前記第１ヒンジ部材は前記外蓋の第１締結部に結合され、前記外蓋が前記容器本体に対して回転できることを特徴とする請求項１７に記載の化粧品容器。
【請求項２１】
前記容器本体の内側には、
上下に貫通した中容器が設けられ、前記中容器の内側面は前記内容器の外側面と対応する形状で設けられることを特徴とする請求項２０に記載の化粧品容器。
【請求項２２】
前記内容器は、
前記第１ヒンジ部材と垂直な外側周りの一領域に第２ヒンジ部材が設けられ、前記第２ヒンジ部材は前記内蓋の第２締結部に結合され、前記内蓋が前記内容器に対して回転できることを特徴とする請求項２１に記載の化粧品容器。
【請求項２３】
前記中容器の内側には、
前記内容器と前記内蓋が結合された状態で装着されることを特徴とする請求項２２に記載の化粧品容器。
【請求項２４】
前記内蓋は、
前記第１ヒンジ部材と垂直な外側周りの一領域に第３ヒンジ部材が設けられ、前記第３ヒンジ部材は前記中容器の第３締結部に結合され、前記内蓋が前記中容器に対して回転できることを特徴とする請求項２１に記載の化粧品容器。
【請求項２５】
前記中容器の内側には、
交換可能なカプセル型内容器が着脱できるように装着されることを特徴とする請求項２４に記載の化粧品容器。
【発明の詳細な説明】
【技術分野】
【０００１】
本発明は化粧品容器に関し、より詳細には、使用の利便性を向上することができる化粧品容器に関する。
【背景技術】
【０００２】
一般的に、化粧品容器は、メイクアップに使用されるパウダーやクリームなどの各種化粧品を包装するのに用いられるものであり、化粧品の用途に応じて様々な形状とサイズを有する。また、化粧品容器は、化粧品を直接包装して使用する用途からリフィルの用途まで多様に変化している。
【０００３】
このような化粧品容器のうちコンパクトは、内容物を保管する容器本体と、容器本体の上部面を開閉させる外蓋からなる。また、容器本体と外蓋との間に内蓋が備えられて容器本体の内部の内容物を保護し、内蓋の上部にはパフなどの塗布部材が保管されてもよい。また、殆どの化粧品容器において、外蓋の内側面には鏡が付着されてもよい。
【０００４】
このように、化粧後に化粧品を吸収した塗布部材をそのまま内蓋の上部に保管するため、塗布部材が鏡を汚染させて汚いたけでなく、化粧する際に不便を誘発することがある。また、内蓋の上部に内容物が付き、塗布部材と内蓋が接しているため、塗布部材が湿った状態で保管されるという問題がある。また、化粧用途の他に鏡だけを使用する場合、塗布部材が固定されていないため、外蓋を開放するときに塗布部材が落ちるという問題がある。
【０００５】
また、外蓋の内側面に実際のサイズと同じ倍率で見ることができる鏡だけが付着されており、顔の一部分を異なる倍率で見たいときには別途の鏡を所持しなければならないため、携帯が不便であるという問題がある。
【発明の概要】
【発明が解決しようとする課題】
【０００６】
本発明は上記のような従来技術の問題点を解決するために創出されたものであり、本発明の目的は、外容器の内側面に普通の鏡が設けられ、内蓋の外側面に拡大鏡が設けられることで、ベースメイクをするときには普通の鏡を利用し、細かい化粧をするときには拡大鏡を利用することができる化粧品容器を提供することである。
【０００７】
また、本発明の目的は、容器本体の下部に塗布部材を保管する引き出し部を別途設けることにより、塗布部材によって外蓋の内側に設けられた鏡及び内蓋が汚染されるのを防止することができるだけでなく、鏡を見るために外蓋を開放するときに塗布部材が落ちるのを防止することができる化粧品容器を提供することである。
【０００８】
また、本発明の目的は、塗布部材を保管する引き出し部が通気孔を備えることによって塗布部材の湿気を緩和させることができる化粧品容器を提供することである。
【課題を解決するための手段】
【０００９】
本発明の一実施例による化粧品容器は、容器本体と、上記容器本体の内側に装着され、内容物を収納する内容器と、上記内容器の上端を開閉する内蓋と、上記内蓋の上部で上記容器本体の上端を開閉する外蓋と、上記容器本体の下端に一方向に引き出すことができるように備えられる引き出し部と、を含み、上記外蓋の内側面に第１鏡が付着され、上記外蓋と対向する上記内蓋の外側面に第２鏡が付着されることを特徴とする。
【００１０】
具体的に、上記第１鏡及び上記第２鏡は、互いに異なる倍率を有してもよい。
【００１１】
具体的に、上記第１鏡及び上記第２鏡の何れか１つは普通の鏡であり、他の１つは拡大鏡であってもよい。
【００１２】
具体的に、上記外蓋は、外側周りの一領域に第１ヒンジ部材が設けられ、上記第１ヒンジ部材は上記外蓋の第１締結部に結合され、上記外蓋が上記容器本体に対して回転可能であることができる。
【００１３】
具体的に、上記容器本体の内側には上下に貫通した中容器が設けられ、上記中容器の内側面は上記内容器の外側面と対応する形状で設けられてもよい。
【００１４】
具体的に、上記内容器は、上記第１ヒンジ部材と垂直な外側周りの一領域に第２ヒンジ部材が設けられ、上記第２ヒンジ部材は上記内蓋の第２締結部に結合され、上記内蓋が上記内容器に対して回転可能であることができる。
【００１５】
具体的に、上記中容器の内側には、上記内容器と上記内蓋が結合された状態で装着されてもよい。
【００１６】
具体的に、上記内蓋は、上記第１ヒンジ部材と垂直な外側周りの一領域に第３ヒンジ部材が設けられ、上記第３ヒンジ部材は上記中容器の第３締結部に結合され、上記内蓋が上記中容器に対して回転可能であることができる。
【００１７】
具体的に、上記中容器の内側には、交換可能なカプセル型内容器が着脱できるように装着されてもよい。
【００１８】
具体的に、上記第３締結部はヒンジピンの形状に設けられ、上記第３ヒンジ部材は上記第３締結部を取り囲む環状に設けられ、上記第３ヒンジ部材が上記第３締結部に締まりばめにより結合されてもよい。
【００１９】
具体的に、上記引き出し部は、底面に少なくとも１つの通気孔が設けられ、内部に塗布部材が収納されてもよい。
【発明の効果】
【００２０】
本発明による化粧品容器は、外容器の内側面に普通の鏡が設けられ、内蓋の外側面に拡大鏡が設けられることで、ベースメイクをするときには普通の鏡を利用し、細かい化粧をするときには拡大鏡を利用することができるため、使用者の化粧時の利便性を向上することができる。
【００２１】
また、本発明による化粧品容器は、容器本体の下部に塗布部材を保管する引き出し部を別途設けることで、塗布部材によって外蓋の内側に備えられた鏡及び内蓋が汚染されるのを防止することができるだけでなく、鏡を見るために外蓋を開放するときに塗布部材が落ちるのを防止することができるため、鏡を使用する際に内容物が付いている塗布部材が見えず外観が美麗で、使用の利便性を増大することができる。
【００２２】
また、本発明による化粧品容器は、塗布部材を保管する引き出し部が通気孔を設けることによって塗布部材の湿気を緩和させることができるため、塗布部材がサラッとした状態を保持して使用者に満足感を与えることができる。
【図面の簡単な説明】
【００２３】
【図１】本発明の第１実施例による化粧品容器を示す一側斜視図である。
【図２】本発明の第１実施例による化粧品容器を示す他側斜視図である。
【図３】本発明の第１実施例による化粧品容器を示す分解斜視図である。
【図４】図４ａは本発明の第１実施例による化粧品容器の引き出し部が開放される過程を示す斜視図である。図４ｂは本発明の第１実施例による化粧品容器の引き出し部が開放される過程を示す斜視図である。図４ｃは本発明の第１実施例による化粧品容器の引き出し部が開放される過程を示す斜視図である。図４ｄは本発明の第１実施例による化粧品容器の引き出し部が開放される過程を示す斜視図である。
【図５】図５ａは本発明の第１実施例による化粧品容器の引き出し部が開放される過程を示す断面図である。図５ｂは本発明の第１実施例による化粧品容器の引き出し部が開放される過程を示す断面図である。図５ｃは本発明の第１実施例による化粧品容器の引き出し部が開放される過程を示す断面図である。図５ｄは本発明の第１実施例による化粧品容器の引き出し部が開放される過程を示す断面図である。
【図６】本発明の第１実施例による化粧品容器の内容器及び内蓋がヒンジ結合されて中容器の内側に装着される状態を示す斜視図である。
【図７】本発明の第１実施例による化粧品容器の内容器及び内蓋がヒンジ結合されて中容器の内側に装着される状態を示す斜視図である。
【図８】本発明の第２実施例による化粧品容器を示す斜視図である。
【図９】本発明の第２実施例による化粧品容器の内蓋が中容器にヒンジ結合され、内容器が中容器の内側に装着される状態を示す斜視図である。
【図１０】本発明の第２実施例による化粧品容器の内蓋が中容器にヒンジ結合され、内容器が中容器の内側に装着される状態を示す斜視図である。
【図１１】図１１ａは本発明の第３実施例による化粧品容器の引き出し部が開放される過程を示す断面図である。図１１ｂは本発明の第３実施例による化粧品容器の引き出し部が開放される過程を示す断面図である。
【図１２】本発明の第４実施例による化粧品容器を示す分解斜視図である。
【図１３】図１３ａは本発明の第４実施例による化粧品容器の引き出し部が開放される過程を示す斜視図である。図１３ｂは本発明の第４実施例による化粧品容器の引き出し部が開放される過程を示す斜視図である。図１３ｃは本発明の第４実施例による化粧品容器の引き出し部が開放される過程を示す斜視図である。図１３ｄは本発明の第４実施例による化粧品容器の引き出し部が開放される過程を示す斜視図である。
【図１４】図１４ａは本発明の第４実施例による化粧品容器の引き出し部が開放される過程を示す断面図である。図１４ｂは本発明の第４実施例による化粧品容器の引き出し部が開放される過程を示す断面図である。図１４ｃは本発明の第４実施例による化粧品容器の引き出し部が開放される過程を示す断面図である。
【図１５】図１５ａは本発明の第４実施例による化粧品容器の引き出し部が閉じられた状態及び引き出し部が下容器から開放された状態を示す斜視図である。図１５ｂは本発明の第４実施例による化粧品容器の引き出し部が閉じられた状態及び引き出し部が下容器から開放された状態を示す斜視図である。
【図１６】図１６ａは本発明の第４実施例による化粧品容器の容器本体を示す斜視図である。図１６ｂは本発明の第４実施例による化粧品容器の容器本体を示す斜視図である。図１６ｃは本発明の第４実施例による化粧品容器の容器本体を示す斜視図である。
【図１７】本発明の第５実施例による化粧品容器を示す斜視図である。
【図１８】図１８ａは本発明の第５実施例による化粧品容器の引き出し部が開放される過程を示す断面図である。図１８ｂは本発明の第５実施例による化粧品容器の引き出し部が開放される過程を示す断面図である。図１８ｃは本発明の第５実施例による化粧品容器の引き出し部が開放される過程を示す断面図である。
【発明を実施するための形態】
【００２４】
本発明の目的、特定の利点及び新規な特徴は、添付の図面と関わる以下の詳細な説明と好ましい実施例から更に明らかになるだろう。本明細書では、各図面の構成要素に参照番号を付するにおいて、同じ構成要素に限ってはたとえ他の図面上に表示されても可能な限り同じ番号を付したことに留意すべきである。また、本発明を説明するに当たり、関連する公知技術に対する具体的な説明が本発明の要旨を不要に不明確にすると判断される場合には、その詳細な説明は省略する。
【００２５】
以下、添付の図面を参照して本発明の好ましい実施例を詳細に説明する。
【００２６】
図１は本発明の第１実施例による化粧品容器を示す一側斜視図であり、図２は本発明の第１実施例による化粧品容器を示す他側斜視図であり、図３は本発明の第１実施例による化粧品容器を示す分解斜視図である。
【００２７】
図１〜図３を参照すると、本発明の第１実施例による化粧品容器１００は、容器本体２０、外蓋１０、内容器３０、中容器４０、及び引き出し部５０を含む。ここで、容器本体２０は四角形に形成されているが、これに限定されず、その他に様々な形状にデザインできることは言うまでもない。
【００２８】
容器本体２０は化粧品容器１００の外形の一部をなす構成であり、上下に貫通して形成されてもよく、四角形に取り囲まれた内部には空間が設けられてもよい。これにより、以下で説明する引き出し部５０が容器本体２０の下端に結合される場合、引き出し部５０の底面を外部に露出させることができ、容器本体２０の側面は引き出し部５０の前面と対応する領域が開口され、引き出し部５０の後面の一部と対応する少なくとも一領域が開口されて外部に露出されてもよい。
【００２９】
また、外蓋１０は、第１ヒンジ部材１４によって容器本体２０に回転可能に結合され、容器本体２０の上部面を開閉することができる。このとき、第１ヒンジ部材１４は、容器本体２０の第１締結部２６に結合されてもよい。第１締結部２６は、第１ヒンジ部材１４が装着できるように容器本体２０の一部が除去された溝状であってもよく、第１ヒンジ部材１４との結合のための孔及びピンなどがさらに備えられてもよい。また、外蓋１０の内側面、即ち、容器本体２０と対向する一面には第１鏡１１が付着されてもよい。
【００３０】
また、外蓋１０の外面には銘板１２が付着されてもよく、外部に露出される銘板１２の上部面にはブランドロゴが印刷されるか、陰刻または陽刻でデザインを具現して化粧品容器１００の審美感を向上させることができる。また、銘板１２を透明に形成し、銘板１２の下部面に鏡（ｍｉｒｒｏｒ）コーティングを適用して類似鏡を具現することもできる。このように、銘板１２を利用して外蓋１０の外面形状を多様にデザインすることで、製品競争力を向上することができる。
【００３１】
このような外蓋１０は、容器本体２０にヒンジ結合された一側を軸にして他側が開閉操作できるように構成されてもよい。このとき、外蓋１０の他側は第１ヒンジ部材１４と対向する領域であってもよく、このような他側には上部磁石１３が設けられてもよい。また、上部磁石１３と対応する容器本体２０の一領域には第１固定磁石２１が設けられてもよい。
【００３２】
これにより、上部磁石１３と第１固定磁石２１との間に発生する磁力によって外蓋１０が容器本体２０の上部を閉鎖した状態を保持することができる。また、外蓋１０を開放する場合、既存のフック方式のロック構造と比べて、一定の開閉感度を保持することができる。このように、外蓋１０と容器本体２０が磁石を利用した開閉方式を利用するため、化粧品容器１００の外面に別のボタンが備えられないため、外観がシンプルで、ソフトで高級感のある開閉感を提供することができる。
【００３３】
引き出し部５０は容器本体２０の下端に設けられ、一方向に引き出すことができるように設けられてもよい。このような引き出し部５０は上部面が開口され、底面と側面により取り囲まれた内部に収納空間５２が設けられてもよい。収納空間５２にはパフなどの塗布部材６０が収納されてもよく、このとき、内容物と接触する塗布部材６０の一面と反対する塗布部材６０の他面には指を挿入することができるバンド部６１が備えられてもよい。
【００３４】
一般的に、塗布部材６０は内蓋３１の上部に保管するため、第１鏡１１が汚染されやすくて汚く、内容物が内蓋３１に付くようになり、塗布部材６０が内蓋３１に接した状態で保管されるため、塗布部材６０が湿った状態で保管される。また、化粧品容器１００の内容物を使用する化粧用途の他に第１鏡１１を使用する場合、外蓋１０を開放するときに塗布部材６０が落ちるという不便がある。
【００３５】
しかし、本発明の第１実施例による化粧品容器１００は、第１鏡１１と塗布部材６０の収納空間５２が、内容物が収納される領域を基準として上部と下部にそれぞれ別途で備えられてもよい。これにより、第１鏡１１の使用時に塗布部材６０を落とすおそれがなく、内容物が付いて汚い塗布部材６０が見えないため、外蓋１０を開放した状態でもシンプルな外観を具現することができる。また、塗布部材６０を分離して保管することにより、第１鏡１１及び内蓋３１の上部面が汚染されるのを防止することができる。
【００３６】
このとき、第１鏡１１と対向する内蓋３１の上部面には一定深さの装着部３７が設けられてもよく、当該装着部３７には第２鏡３６が付着されてもよい。当該第２鏡３６は第１鏡１１と倍率が異なってもよく、第１鏡１１は普通の鏡で、第２鏡３６は拡大鏡であってもよく、このため、使用者の化粧の利便性を向上することができる。
【００３７】
また、塗布部材６０が収納される収納空間５２が別途設けられることにより、使用した塗布部材６０に付いている内容物による第１鏡１１及び第２鏡３６の汚染を防止することができる。
【００３８】
これと共に、引き出し部５０は底面に少なくとも１つの通気孔５７が設けられてもよく、これにより収納空間５２に保管される塗布部材６０の湿気を緩和させて塗布部材６０が常にサラッとした状態を保持するようにすることができる。このとき、図３に示したように、通気孔５７は引き出し部５０の底面の外郭に隣接する領域に外郭形状と平行な直線状に複数個設けられているが、通気孔５７の形状及び個数はこれに限定されるものではない。即ち、通気孔５７は、塗布部材６０の湿気が除去できるように収納空間５２の内部及び外部に空気が移動することができる多様な形状及び個数で設けられてもよいことは言うまでもない。
【００３９】
また、引き出し部５０は、容器本体２０の下端にスライドされるとともにチルティングされて引き出されてもよい。塗布部材６０は使用するほど内容物を吸収して膨らみ、バンド部６１は塗布部材６０の屈曲に応じて平らではない浮き上がる形状になる。この場合、単にスライド方式だけで作動する引き出し部５０は、開閉するとき、塗布部材６０またはバンド部６１が容器本体２０に引っかかり円滑な作動が困難になることがある。
【００４０】
これにより、本発明の第１実施例による化粧品容器１００の引き出し部５０は、容器本体２０の下端においてスライドされるとともにチルティング作動するようにすることで、塗布部材６０の出し入れを容易にすることができる。
【００４１】
このため、容器本体２０は、引き出し部５０が引き出される方向の両内側面に沿ってレール２３が設けられてもよい。このとき、レール２３は、容器本体２０の後面から前面に向かって一定長さで設けられる直線区間２４と、直線区間２４の端部から容器本体２０の前面に隣接する領域まで設けられるカーブ区間２５と、を含んでもよい。
【００４２】
ここで、カーブ区間２５は、引き出し部５０を引き出すとき、容器本体２０の下側方向に向かって引き出し部５０がチルティングされるように誘導する形状に折り曲げられて備えられてもよい。これにより、引き出し部５０は、容器本体２０の下端に結合された状態で引き出されるとき、一方向に向かって直線区間２４及びカーブ区間２５に沿って移動しながら次第に容器本体２０との間隔が広がるようにチルティングされて移動することができる。これに対する詳細な説明は、図４ａ〜図５ｄを参照して後述する。
【００４３】
このとき、引き出し部５０は、レール２３と対面する両外側面に少なくとも１つの突起５３が設けられ、当該突起がレール２３に沿って移動することができる。ここで、突起５３は、引き出し部５０が容器本体２０から引き出される前の状態で、容器本体２０の後面に隣接する位置に設けられる第１突起５３ａと、第１突起５３ａから一定間隔離隔された位置に設けられる第２突起５３ｂと、を含んでもよい。当該第１突起５３ａ及び第２突起５３ｂは、レール２３の深さと同じであるか、または円滑な移動のためにレール２３の深さより少し短い長さで突出して設けられてもよい。
【００４４】
このように、引き出し部５０に第１突起５３ａ及び第２突起５３ｂからなる２つの突起５３が設けられることにより、第１突起５３ａ及び第２突起５３ｂがレール２３から離脱するのを最小化することができるため、より安定的にレール２３に沿って引き出し部５０が移動することができる。ここで、突起５３の個数は限定されず、レール２３に沿って容易に移動できるように設けられる。
【００４５】
また、引き出し部５０がスライドされるとともにチルティングされて引き出されることによって、塗布部材６０の出し入れの際に塗布部材６０及びバンド部６１が容器本体２０の下端に引っかかるのが防止され、塗布部材６０を円滑に収納することができる。
【００４６】
当該引き出し部５０は、容器本体２０の第１固定磁石２１と対応する領域に前面磁石５１が設けられてもよい。これにより、容器本体２０に引き出し部５０を結合した状態で第１固定磁石２１と前面磁石５１との間に引力が発生し、引き出し部５０が容器本体２０に対して閉鎖された状態で固定されることができる。また、上述したように、容器本体２０の第１固定磁石２１と外蓋１０の上部磁石１３との間にも引力が発生するため、本発明の一実施例によると、磁石を利用して外蓋１０及び引き出し部５０を容器本体２０から開閉することができ、別途のボタンがないため、高級感のある外観を有することができる。
【００４７】
また、容器本体２０の上端内側面の周りに沿って中容器４０がさらに備えられてもよい。中容器４０は、外郭を除いた中央部分が上下に貫通されて内部に内容器３０が装着される装着空間４１が設けられてもよい。このとき、装着空間４１は円形の内容器３０の形状に対応するように円形に設けられたが、これに限定されるものではない。また、図面に示されてはいないが、中容器４０は装着空間４１に内容器３０が装着されるため、内容器３０を固定するための複数の突起及び溝などがさらに設けられてもよい。
【００４８】
当該中容器４０が容器本体２０の上端内側面に固定されるように、容器本体２０の両内側面にはレール２３と一定間隔離隔された上部側に段差部２２が設けられてもよい。これにより、中容器４０の下端が段差部２２に装着された状態で固定することができ、中容器４０の下端に延長部４２がさらに設けられてもよい。
【００４９】
延長部４２は、レール２３の直線区間２４及びカーブ区間２５に対応する形状でレール２３に向かって延長されるが、延長部４２の端はレール２３と一定間隔離隔されるように延長されてもよい。このとき、レール２３は、容器本体２０の内側面から一定厚さ分だけ内側に突出した段差状に設けられてもよく、中容器４０の下端が装着される段差部２２より内側にさらに突出してもよい。また、延長部４２は、容器本体２０の内側面に結合された状態でレール２３面と同様に突出する厚さを有するように設けられてもよい。
【００５０】
これにより、中容器４０が容器本体２０に結合された状態で引き出し部５０の突起５３がレール２３及び延長部４２の端の間で移動することができ、引き出し部５０の外側面は中容器４０の延長部４２と容器本体２０のレール２３の下部側に接しながら引き出されることができる。
【００５１】
また、中容器４０は、後述する内容器３０の第２ヒンジ部材３４及び内蓋３１の第２締結部３３と把持部３５が装着されるように一領域が除去された形状で設けられてもよい。
【００５２】
内容器３０は中容器４０の内側の貫通された領域に装着されてもよく、このとき、中容器４０の内側において容器本体２０の開口された底面に下部面が露出するように結合されてもよい。当該内容器３０の外周面の一領域には、後述する内蓋３１とヒンジ結合するための第２ヒンジ部材３４が備えられてもよい。
【００５３】
また、内容器３０は中容器４０に締まりばめなどにより結合され、中容器４０から分離できるように結合されてもよい。即ち、内容器３０は、外力によって中容器４０から相互分離できるように結合されてもよく、外力を加えない場合は、任意の離脱が防止される状態で結合されることができる。
【００５４】
ここで、内容器３０に収納される内容物は、化粧料が含浸された含浸部材からなってもよい。また、含浸部材が内容器３０の外部に離脱しないように内容器３０の周りに沿って上端が内側に折り曲げられた固定リング３２が備えられてもよい。但し、内容器３０に収納される内容物は含浸部材に限定されるものではなく、内容器３０には様々な剤型の内容物が収納されてもよい。
【００５５】
また、内容器３０の上部には、内容物の油水分蒸発及び保護のための内蓋３１がさらに備えられてもよい。内蓋３１は、下部面から延長された延長リブ（図面符号は表記せず）をさらに備えてもよく、延長リブは内容器３０の内側面と固定リング３２の間の離隔された空間に嵌め合いされて内容器３０の上部を密閉させることができる。
【００５６】
また、通常、塗布部材６０は内蓋３１の上部面に保管されたが、本発明では、塗布部材６０が容器本体２０の下端に備えられた引き出し部５０に保管されてもよい。そして、内蓋３１の上部面には上述した装着部３７及び第２鏡２６が設けられてもよい。このように、塗布部材６０を引き出し部５０に別途保管することにより、内容物が付いている塗布部材６０により第１鏡１１及び第２鏡３６が汚染されるのを防止することができる。また、化粧用途の他に、第１鏡１１または第２鏡３６を使用する場合、塗布部材６０が落ちるのを防止することができる。
【００５７】
当該内蓋３１は、第２ヒンジ部材３４と対応する外周面の一領域に第２締結部３３が設けられ、第２ヒンジ部材３４が第２締結部３３に結合されることによって内蓋３１を内容器３０に回転可能に連結することができる。また、内蓋３１は、第２締結部３３と対向する外周面の他の領域には把持部３５が備えられてもよい。これにより、内容器３０の上部面から内蓋３１をより容易に開閉させることができる。
【００５８】
このとき、内蓋３１が開閉される方向は、外蓋１０が容器本体２０にヒンジ結合されて開閉される方向と直交するように設けられてもよい。これにより、内蓋３１を開閉するとき、外蓋１０との干渉を防止することができる。
【００５９】
また、上述したように、外蓋１０の内側面と対向する内蓋３１の外側面には、一定深さの溝からなる装着部３７が設けられてもよく、装着部３７には第２鏡３６が付着されてもよい。当該第２鏡３６は、外蓋１０の内側面に付着された第１鏡１１と異なる倍率であってもよく、第１鏡１１は普通の鏡で、第２鏡３６は拡大鏡であってもよい。
【００６０】
但し、第１鏡１１及び第２鏡３６はこれに限定されず、逆に第１鏡１１が拡大鏡であり、第２鏡３６が普通の鏡であってもよい。また、第１鏡１１及び第２鏡３６が一般倍率や拡大倍率を有する鏡の組み合わせの他に、必要に応じて縮小倍率を有する鏡を含んでもよい。
【００６１】
本発明の第１実施例のように、第１鏡１１が普通の鏡で、第２鏡３６が拡大鏡である場合、ベースメイクをするときには普通の鏡を利用し、目元などの細かい化粧をするときには拡大鏡を利用することで、使用者の化粧の利便性を著しく向上することができる。
【００６２】
一般的な化粧品容器の鏡を利用して細かい化粧をするとき、化粧品容器１００を顔に密接して位置させた状態で化粧をしなければならないため、化粧する際に不便な姿勢になる。しかし、本発明によると、内蓋３１の外側面に設けられた拡大倍率を有する第２鏡３６を利用して細かい化粧をすることができるため、より容易に化粧をすることができる。
【００６３】
また、通常、外蓋側にデュアル鏡が設けられた化粧品容器は、２つの鏡が重なった状態になっており、拡大鏡を利用したい場合には拡大鏡を外部に露出させるための別途の動作をしなければならない。しかし、本発明によると、外蓋１０を容器本体２０から開放するとともに、第１鏡１１及び第２鏡３６が同時に外部に露出されるため、第２鏡３６を使用するための別途の動作が必要なくなり、使用しやすくなることができる。
【００６４】
このように構成された本発明の第１実施例による化粧品容器１００の引き出し部５０の作動について、図４ａ〜図５ｄを参照して後述する。
【００６５】
図４ａ〜図４ｄは本発明の第１実施例による化粧品容器の引き出し部が開放される過程を示す斜視図であり、図５ａ〜図５ｄは本発明の第１実施例による化粧品容器の引き出し部が開放される過程を示す断面図である。
【００６６】
図４ａ〜図５ｄを参照すると、本発明の第１実施例による化粧品容器１００は、容器本体２０、外蓋１０、内容器３０、中容器４０、及び引き出し部５０を含む。各構成に対する詳細な説明は図１〜図３において説明したため、以下では省略する。
【００６７】
容器本体２０は上下に貫通して形成され、貫通された内側に中容器４０が結合され、中容器４０の内側に内容器３０が装着されてもよい。内容器３０は内蓋３１によって上部面が密閉されてもよく、容器本体２０の上部面は外蓋１０によって開閉されてもよい。また、容器本体２０の下端には塗布部材６０の保管のための引き出し部５０が設けられてもよい。但し、本実施例では、引き出し部５０に塗布部材６０が備えられたものを説明したが、これに限定されず、化粧に必要な様々な構成を引き出し部５０に保管することができる。
【００６８】
容器本体２０と外蓋１０が当接している状態で、外蓋１０の上部磁石１３と容器本体２０の第１固定磁石２１は対応する位置に備えられるため、上部磁石１３と第１固定磁石２１との間に発生する引力によって外蓋１０を容器本体２０に対して閉鎖された状態を保持するように固定することができる。
【００６９】
また、引き出し部５０は、容器本体２０から引き出される前の状態で、容器本体２０の第１固定磁石２１と対応する位置に前面磁石５１が設けられるため、第１固定磁石２１と前面磁石５１との間に発生する引力によって引き出し部５０を容器本体２０に対して閉鎖された状態を保持するように固定することができる。
【００７０】
このように、外蓋１０及び引き出し部５０は、それぞれの磁石結合構造により容器本体２０に閉鎖された状態で固定することができ、これにより、化粧品容器１００の外観の高級感を向上することができる。
【００７１】
当該化粧品容器１００の容器本体２０から引き出し部５０を引き出す過程を見ると、引き出し部５０は、容器本体２０に対してスライドするとともにチルティングされて引き出されることができる。より詳細には、引き出し部５０は、外側面に備えられた突起５３が容器本体２０のレール２３に沿って移動することができ、このとき、レール２３は引き出し部５０が引き出される方向の両内側面に沿って備えられてもよい。当該レール２３は、容器本体２０の後面から前面に向かって一定長さで設けられる直線区間２４と、直線区間２４の端部から容器本体２０の前面に隣接する領域まで設けられるカーブ区間２５と、を含んでもよい。ここで、カーブ区間２５は、引き出し部５０を引き出すとき、容器本体２０の下側方向に引き出し部５０がチルティングされるように誘導する方向に設けられてもよい。
【００７２】
これにより、引き出し部５０が直線区間２４のみで動作する場合に比べて、引き出し部５０の内部に収納された塗布部材６０が置かれた位置及び状態に応じて塗布部材６０またはバンド部６１が容器本体２０の下端に引っかかる現象を著しく減少させることができる。即ち、本発明の一実施例によると、引き出し部５０の両外側面にそれぞれ備えられた第１突起５３ａ及び第２突起５３ｂが容器本体２０の両内側面の直線区間２４及びカーブ区間２５からなるレール２３に沿って移動しながら、引き出し部５０が容器本体２０に対してスライド及びチルティングされて引き出されることができる。
【００７３】
このとき、引き出し部５０を引き出す場合、引き出し部５０の突起５３がレール２３の直線区間２４をまず通過した後、カーブ区間２５に進入しながら引き出し部５０が下部方向に約３６度チルティングされて引き出されることができる。逆に、引き出し部５０を容器本体２０の下端に結合する場合には、引き出し部５０がチルティングされた状態で引き出し部５０の突起５３がレール２３のカーブ区間２５をまず通過した後、直線区間２４に進入しながら容器本体２０と平行な方向に直線移動し、容器本体２０に結合されることができる。
【００７４】
このとき、引き出し部５０の突起５３は２つからなってもよく、一定間隔離隔された第１突起５３ａ及び第２突起５３ｂからなることによりレール２３から第１突起５３ａ及び第２突起５３ｂが離脱することを最小化することができ、直線区間２４及びカーブ区間２５をなすレール２３の形状に応じて引き出し部５０がスライド及びチルティングされることができる。即ち、第１突起５３ａ及び第２突起５３ｂがレール２３に差し込まれた状態で引き出し部５０の荷重を支持し、レール２３に沿って移動することができる。
【００７５】
このように、引き出し部５０の収納空間５２に塗布部材６０を収納する場合、塗布部材６０に内容物が含浸されて膨らんでいるとして引き出し部５０がチルティングされながら容器本体２０に結合されるため、塗布部材６０が容器本体２０の下端に引っかかる現象を防止することができる。また、塗布部材６０のバンド部６１も容器本体２０の下端に引っかからずにスムーズに引き出し部５０に出し入れすることができる。
【００７６】
このとき、レール２３の直線区間２４の長さに応じて引き出し部５０の引き出し距離を異ならせることができる。ここで、レール２３のカーブ区間２５の角度が下部に向かって約３６度程度折り曲げられるため、カーブ区間２５の長さは変わらないことができる。即ち、直線区間２４の長さが長いと、引き出し部５０の引き出し距離が長くなり、直線区間２４の長さが短いと、引き出し部５０の引き出し距離が短くなることができる。よって、引き出し部５０に収納される塗布部材６０のサイズまたは形状に応じて直線区間２４の長さを調整することで、引き出し部５０の引き出し距離を制御することができる。
【００７７】
また、容器本体２０は、上下に貫通されて引き出し部５０の底面を外部に露出させることができ、引き出し部５０の前面と対応する領域が開口されるだけでなく、引き出し部５０の後面と対応する少なくとも一領域が開口されてもよい。これにより、容器本体２０から引き出し部５０を引き出すとき、引き出し部５０の後面または底面を手で押して簡単に作動させることができる。これに関しては、図１０ａ〜図１０ｃで後述する。
【００７８】
本発明の一実施例による化粧品容器１００は、容器本体２０の下端にスライドされるとともにチルティングされる方式で引き出される引き出し部５０を備えることにより、引き出し部５０への塗布部材６０の出し入れを容易にすることができる。また、塗布部材６０を第１鏡１１及び第２鏡３６と異なる空間に保管することで、第１鏡１１及び第２鏡３６の汚染を防止することができる。
【００７９】
図６及び図７は本発明の第１実施例による化粧品容器の内容器及び内蓋がヒンジ結合されて中容器の内側に装着される状態を示す斜視図である。
【００８０】
図６及び図７を参照すると、本発明の第１実施例による化粧品容器１００における外蓋１０は、外側周りの一領域に設けられた第１ヒンジ部材１４（図３を参照）が容器本体２０の第１締結部２６に結合されることによって外蓋１０が容器本体２０に対して回転できるように備えられてもよい。
【００８１】
また、容器本体２０の内側には中容器４０が設けられ、中容器４０の内側面は内容器３０の外側面と対応する形状で設けられてもよい。
【００８２】
内容器３０は第１ヒンジ部材１４と垂直な外側周りの一領域に第２ヒンジ部材３４が設けられ、内容器３０の上部面を開閉する内蓋３１の周りの一領域には第２ヒンジ部材３４と対応する位置に第２締結部３３が設けられてもよい。このとき、第２ヒンジ部材３４が別のヒンジピン（不図示）を利用して第２締結部３３に回転できるように結合されることにより、内蓋３１が内容器３０に対して回転できるように連結されてもよい。
【００８３】
このように、第２ヒンジ部材３４が第２締結部３３に締結されることにより、内容器３０は内蓋３１と一体型で設けられてもよい。また、内蓋３１の上部面に設けられた装着部３７には第２鏡３６が付着されてもよい。
【００８４】
このような内容器３０と内蓋３１及び第２鏡３６は一体型で、中容器４０の装着空間４１に挿入されて装着されてもよい。このとき、中容器４０には第２ヒンジ部材３４及び第２締結部３３と対応する形状で一定深さの溝部（図面符号は記載せず）が設けられ、第２ヒンジ部材３４及び第２締結部３３が引っかかることなく中容器４０に装着されるようにすることができる。ここで、中容器４０と内容器３０は、締まりばめまたは突起−溝の構造などの方式で結合されてもよい。
【００８５】
このように、本発明の第１実施例による化粧品容器１００では、内容器３０の内容物を使い切って交換する場合、内容器３０、内蓋３１及び第２鏡３６が一体型で設けられるため、これらを一緒に交換しなければならない。
【００８６】
また、内容器３０の内部に収納される内容物は、含浸部材（不図示）に含浸されて備えられてもよく、当該含浸部材が内容器３０の外部に離脱することを防止するために内容器３０の内側には固定リング３２がさらに設けられてもよい。但し、内容物は含浸部材に含浸されて備えられること以外、様々な剤型で備えられてもよい。
【００８７】
即ち、内容物のリフィルのために中容器４０の貫通した下部面から内容器３０を上側に押し上げると、内容器３０、第２鏡３６の付着された内蓋３１、及び固定リング３２が結合された状態で中容器４０の装着空間４１から分離されることができる。これにより、内容器３０、第２鏡３６の付着された内蓋３１、及び固定リング３２を一緒に交換することができる。
【００８８】
図８は本発明の第２実施例による化粧品容器を示す斜視図であり、図９及び図１０は本発明の第２実施例による化粧品容器の内蓋が中容器にヒンジ結合され、内容器が中容器の内側に装着される状態を示す斜視図である。
【００８９】
図８〜図１０を参照すると、第１ヒンジ部材１４と垂直な方向の内蓋３０の外側周りの一領域には第３ヒンジ部材３８が設けられてもよく、第３ヒンジ部材３８と対応する位置の中容器４０には第３締結部４４が設けられてもよい。当該第３ヒンジ部材３８が第３締結部４４に締結されることにより、内蓋３１は中容器４０とヒンジ結合されて内蓋３１が中容器４０に対して回転できる一体型で設けられることができる。
【００９０】
このとき、第３締結部４４はヒンジピンの形状に設けられ、中容器４０に固定されてもよく、第３ヒンジ部材３８は第３締結部４４を取り囲む環状に設けられてもよい。これにより、第３ヒンジ部材３８が第３締結部４４に締まりばめにより結合されることで中容器４０と内蓋３１が結合されてもよい。
【００９１】
また、内蓋３１の上部面には一定深さで設けられた装着部３７が設けられてもよく、このような装着部３７には第２鏡３６が付着されてもよい。
【００９２】
このように、内蓋３１が中容器４０にヒンジ結合された状態で中容器４０の内側には、交換可能なカプセル型内容器７０が装着空間４１に着脱できるように装着されてもよい。このとき、カプセル型内容器７０は使用前の状態で上部面にシール紙（不図示）が備えられてよく、シール紙を除去して中容器４０に装着させることができる。
【００９３】
このような本発明の第２実施例による化粧品容器２００は、内容物を使い切ると、カプセル型内容器７０だけを交換して使用することができる。上述した実施例とは異なり、内蓋３１が中容器４０に結合されているため、カプセル型内容器７０の交換と関係なく、内蓋３１の外側面に付着された第２鏡３６は中容器４０、内蓋３１と一緒に継続的に使用可能である。このように、内容物を使い切ると、カプセル型内容器７０のみを交換すればよいため、交換費用を節減することができる。
【００９４】
図１１ａ及び図１１ｂは、本発明の第３実施例による化粧品容器の引き出し部が開放される過程を示す断面図である。
【００９５】
図１１ａ及び図１１ｂを参照すると、本発明の第３実施例による化粧品容器３００は、容器本体２０、外蓋１０、内容器３０、中容器４０、及び引き出し部５０を含む。以下では、本実施例が上述した実施例と比べて異なる点を中心として説明し、説明を省略した部分は上述した内容に代える。
【００９６】
容器本体２０には、引き出し部５０が引き出される方向の両内側面に沿ってレール２３が設けられてもよい。このとき、レール２３は、容器本体２０の後面から前面まで一直線で設けられてもよい。
【００９７】
また、引き出し部５０は、レール２３と対面する両外側面に第１突起５３ａ及び第２突起５３ｂからなる２つの突起５３が備えられ、第１突起５３ａ及び第２突起５３ｂがレール２３に沿って移動することができる。第１実施例と同様に、第１突起５３ａ及び第２突起５３ｂは一定間隔離隔され、引き出し部５０が容器本体２０から引き出されるとき、曲げられずにレール２３の形状に沿って引き出し部５０を一直線にスライド作動しながら引き出すことができる。
【００９８】
但し、容器本体２０の前面端に対応するレール２３には、引き出し部５０が容器本体２０から完全に分離されないようにするためのストッパー（不図示）がさらに設けられてもよい。
【００９９】
そして、引き出し部５０には塗布部材６０が収納されてもよい。ここで、引き出し部５０がスライド作動するとき、塗布部材６０のバンド部６１が引っかからないようにするために第１実施例より引き出し部５０の高さがさらに高く設けられてもよい。また、引き出し部５０の高さが第１実施例と同じである場合、引き出し部５０に収納される塗布部材６０にバンド部６１が設けられないか、第１実施例より薄い厚さの塗布部材６０が収納されてもよい。
【０１００】
これに加え、図面には示されていないが、容器本体２０はレール２３の上部の両内側面に中容器４０の下端が装着される段差部２２が設けられてもよく、レール２３は段差部２２より内側にさらに突出した段差形状であってもよい。
【０１０１】
ここで、中容器４０は下端からレール２３に向かって容器本体２０の内側面に接するように延長部４２が設けられ、延長部４２の端はレール２３と対応する一直線状に延長されるが、レール２３と一定間隔離隔されてもよい。
【０１０２】
このように、容器本体２０の下部に塗布部材６０を保管する引き出し部５０を別途設け、引き出し部５０がスライド方式により引き出されるようにすることで、塗布部材６０によって外蓋１０の内側に備えられた第１鏡１１及び内蓋３１が汚染されるのを防止することができる。また、引き出し部５０の高さを調整することで、塗布部材６０のバンド部６１が引っかからないように引き出し部５０を作動させることができ、塗布部材６０の出し入れを容易にすることができる。
【０１０３】
図１２は本発明の第４実施例による化粧品容器を示す分解斜視図であり、図１３ａ〜図１３ｄは本発明の第４実施例による化粧品容器の引き出し部が開放される過程を示す斜視図である。そして、図１４ａ〜図１４ｃは本発明の第３実施例による化粧品容器の引き出し部が開放される過程を示す断面図であり、図１５ａ及び図１５ｂは本発明の第４実施例による化粧品容器の引き出し部が閉じられた状態及び引き出し部が下容器から開放された状態を示す斜視図である。
【０１０４】
図１２〜図１５ｂを参照すると、本発明の第４実施例による化粧品容器４００は、容器本体２０、外蓋１０、内容器３０、中容器４０、及び引き出し部５０を含む。また、以下では、上述した第１実施例と比べて相違点を中心として説明し、省略された説明については上述した内容に代える。
【０１０５】
容器本体２０は外蓋１０によって上端が開閉されてもよく、容器本体２０の下端には一方向に引き出すことができるように備えられた引き出し部５０が備えられてもよい。このとき、引き出し部５０は引き出される方向の後面に少なくとも１つの後面磁石が設けられてもよく、引き出し部５０が開放された状態で後面磁石に対応する上部側に少なくとも１つの固定磁石が設けられてもよい。
【０１０６】
これにより、引き出し部５０が容器本体２０から引き出される場合、後面磁石と固定磁石との間に発生する磁力によって引き出し部５０が開放された状態で固定されることができる。
【０１０７】
ここで、固定磁石は容器本体２０の前面中央に位置した第１固定磁石２１であってもよい。そして、後面磁石は引き出し部５０の後面中央に位置した第１後面磁石５５であってもよい。これにより、引き出し部５０が引き出されると、第１固定磁石２１と第１後面磁石５５が対応する位置に設けられることができ、第１固定磁石２１と第１後面磁石５５との間に発生する引力によって引き出し部５０が開放された状態を保持するように固定されることができる。
【０１０８】
本発明の第４実施例では、容器本体２０が四角状に形成され、第１固定磁石２１が容器本体２０の前面中央に位置し、引き出し部５０の第１後面磁石５５が第１固定磁石２１と対応する引き出し部５０の後面中央に備えられるものを説明したが、第１固定磁石２１及び第１後面磁石５５の位置はこれに限定されない。第１固定磁石２１及び第１後面磁石５５は、引き出し部５０が引き出された状態で容器本体２０の下端に容易に固定できる様々な位置に備えられることは言うまでもない。
【０１０９】
また、引き出し部５０は、第１固定磁石２１と対応する前面に前面磁石５１が設けられてもよい。これにより、引き出し部５０が容器本体２０の下端に結合された状態で第１固定磁石２１と前面磁石５１との間に発生する引力によって引き出し部５０が閉鎖された状態を保持するように固定することができる。
【０１１０】
このように、引き出し部５０は、容器本体２０に対して開放及び閉鎖するとき、全て磁石による結合構造によって容器本体２０の下端に固定された状態を保持することができる。
【０１１１】
これに加え、外蓋１０が容器本体２０と当接した状態で、外蓋１０には容器本体２０の第１固定磁石２１と対応する前面に上部磁石１３が設けられ、第１固定磁石２１と上部磁石１３との間に発生する引力によって外蓋１０が閉鎖された状態で固定されることができる。
【０１１２】
また、外蓋１０の上部磁石１３は、第１ヒンジ部材１４と対向する領域に設けられるため、外蓋１０を容器本体２０から開放するときは、第１ヒンジ部材１４を軸にして外蓋１０を回転させることにより、容器本体２０を開放することができる。このとき、外蓋１０は容器本体２０と磁石結合されているため、外蓋１０と容器本体２０の間に作用する引力が除去できる力で外蓋１０を上部に上げることによって容器本体２０から外蓋１０が開放されることができる。
【０１１３】
このように、本発明の第４実施例の化粧品容器４００によると、容器本体２０と引き出し部５０は磁力によって開放及び閉鎖状態が固定されることができ、容器本体２０と外蓋１０は磁力によって閉鎖状態が固定されることができる。ここで、容器本体２０の第１固定磁石２１、引き出し部５０の前面磁石５１及び第１後面磁石５５、そして外蓋１０の上部磁石１３は、それぞれ容器本体２０、引き出し部５０、及び外蓋１０に備えられた磁石付着溝（不図示）に挿入された状態で付着されてもよい。
【０１１４】
一般的な化粧品容器は、ロック手段としてボタン方式またはフック方式を主に利用するため、化粧品容器の射出偏差によって感度が異なり、使用性に高級感はない可能性がある。しかし、本発明では、一般的なボタンまたはフックの代わりに磁石を利用して外蓋１０の閉鎖状態及び引き出し部５０の開放及び閉鎖状態を保持することができるため、製造上の原価が節減されるだけでなく、高級な使用感を提供することができる。
【０１１５】
容器本体２０は上端の内側に上下に貫通した中容器４０が装着され、中容器４０の装着空間４１に内容器３０が装着されてもよい。また、容器本体２０は引き出し部５０が引き出される方向の両内側面に沿ってレール２３が備えられてもよい。
【０１１６】
引き出し部５０は、レール２３と対面する両外側面に第１突起５３ａ及び第２突起５３ｂからなる２つの突起５３が備えられ、第１突起５３ａ及び第２突起５３ｂがレール２３に沿って移動することができる。このとき、第１突起５３ａ及び第２突起５３ｂは一定間隔離隔され、引き出し部５０が容器本体２０から引き出されるとき、曲げられずにレール２３の形状に沿って引き出し部５０が引き出されるようにすることができる。
【０１１７】
本発明の第４実施例では、レール２３が直線状に設けられてもよく、これにより、引き出し部５０の第１突起５３ａ及び第２突起５３ｂが一直線にスライド作動して引き出されることができる。
【０１１８】
容器本体２０はレール２３の上部の両内側面に中容器４０の下端が装着される段差部２２が設けられてもよく、レール２３は段差部２２より内側にさらに突出した段差形状であってもよい。ここで、中容器４０は、下端からレール２３に向かって容器本体２０の内側面に接するように延長部４２が備えられ、延長部４２の端はレール２３と対応する形状に延長されるが、レール２３と一定間隔離隔されることができる。
【０１１９】
また、容器本体２０は上下に貫通して形成されるため、引き出し部５０の底面が外部に露出されることができ、引き出し部５０の前面と対応する領域が開口され、引き出し部５０の後面と対応する少なくとも一領域が開口されてもよい。これにより、容器本体２０から引き出し部５０を引き出すとき、底面及び後面を一方向に押し出して容易に引き出し部５０を開閉させることができる。
【０１２０】
このとき、引き出し部５０は収納空間５２に塗布部材６０が備えられてもよく、底面に少なくとも１つの通気孔５７が備えられることにより、塗布部材６０の湿気を緩和させることができる。
【０１２１】
本発明の第４実施例による化粧品容器４００が開放される過程を見ると、外蓋１０は容器本体２０の第１固定磁石２１と対応する前面に上部磁石１３が設けられ、第１固定磁石２１と上部磁石１３との間に発生する磁力によって外蓋１０が閉鎖された状態で固定されることができる。
【０１２２】
その後、外蓋１０の上部磁石１３と容器本体２０の第１固定磁石２１との間の引力を除去すると、第１ヒンジ部材１４によって回転されて開放されることができる。そして、引き出し部５０が容器本体２０に結合された状態では、引き出し部５０の前面磁石５１と容器本体２０の第１固定磁石２１との間に発生する引力によって引き出し部５０が容器本体２０の下端に固定されることができる。即ち、引き出し部５０は、第１固定磁石２１と対応する前面中央に前面磁石５１が設けられ、第１固定磁石２１と前面磁石５１との間に発生する引力によって引き出し部５０が閉鎖された状態で固定されることができる。
【０１２３】
この状態で引き出し部５０を一方向に引き出すと、前面磁石５１と第１固定磁石２１との間に発生する引力が解除されて引き出し部５０の第１突起５３ａ及び第２突起５３ｂがレール２３に沿って一直線にスライドされて移動することができる。
【０１２４】
その後、引き出し部５０の第２突起５３ｂがレール２３の端部に位置するように引き出し部５０を引き出す場合、引き出し部５０の後面中央に備えられた第１後面磁石５５が容器本体２０の第１固定磁石２１に対応するように位置して相互引力が発生し、引き出し部５０が開放された状態で固定されることができる。
【０１２５】
このように、磁石を利用して引き出し部５０を開放及び閉鎖し、外蓋１０を閉鎖することによって使用感度の偏差を最小化することができ、高級な使用感を提供することができる。また、ロック手段に使用されるボタンまたはフックなどの副資材を除去することにより、製造上の原価節減の効果を奏する。
【０１２６】
本実施例では、レール２３が直線状に備えられたものを説明したが、これに限定されるものではなく、第１実施例のように直線区間２４及びカーブ区間２５からなるレール２３を適用することもできる。
【０１２７】
図１６ａ〜図１６ｃは、本発明の第４実施例による化粧品容器の容器本体を示す斜視図である。
【０１２８】
図１６ａ〜図１６ｃを参照すると、本発明の第４実施例による容器本体２０は、上述したように、上下に貫通した四角状に形成されてもよい。当該容器本体２０の下端に引き出し部５０がスライドできるように結合されるため、引き出し部５０の底面は外部に露出されることができる。このとき、引き出し部５０の第１突起５３ａ及び第２突起５３ｂが容器本体２０の内側面に備えられたレール２３に沿って移動するため、引き出し部５０の両外側面は容器本体２０によってカバーされることができる。
【０１２９】
また、引き出し部５０の前面と対応する容器本体２０の前面の一部が開口されて引き出し部５０を引き出せるようにすることができる。また、引き出し部５０の後面と対応する容器本体２０の後面は、引き出し部５０の後面が一部露出するように少なくとも一領域が開口されてもよい。このとき、容器本体２０の後面は、引き出し部５０の後面が一部露出するように開口された領域の他に、その上側に外蓋１０がヒンジ結合できるように第１締結部２６が設けられてもよい。
【０１３０】
このように、容器本体２０の開口された底面及び後面に露出される引き出し部５０の底面及び後面を利用して引き出し部５０を容易に引き出すことができる。図１０ｃを参照すると、容器本体２０の後面に開口された領域に露出された引き出し部５０の後面Ａと、容器本体２０の底面に露出された引き出し部５０の底面Ｂを手で押してより容易に引き出し部５０を引き出すことができる。
【０１３１】
ここで、容器本体２０が四角状に形成されたものを説明したが、容器本体２０はこれに限定されず、下端に引き出し部５０がスライドできるように結合できる様々な形状に備えられることができる。
【０１３２】
図１７は本発明の第５実施例による化粧品容器を示す斜視図であり、図１８ａ〜図１８ｃは本発明の第５実施例による化粧品容器の引き出し部が開放される過程を示す断面図である。
【０１３３】
図１７〜図１８ｃを参照すると、本発明の第５実施例による化粧品容器５００は、容器本体２０、外蓋１０、内容器３０、中容器４０、及び引き出し部５０を含む。また、以下では、上述した他の実施例と比べて相違点を中心として説明し、省略された説明については上述した内容に代える。
【０１３４】
本発明の第５実施例による化粧品容器５００は、容器本体２０の上端の内側に装着され、上下に貫通した中容器４０の前面の両端にそれぞれ隣接して位置した内側に１対の第２固定磁石４３を含んでもよい。また、引き出し部５０の後面の両端にそれぞれ隣接して位置した内側には１対の第２後面磁石５６を含んでもよい。
【０１３５】
当該中容器４０に備えられた１対の第２固定磁石４３と、引き出し部５０に備えられた１対の第２後面磁石５６は、引き出し部５０が容器本体２０から引き出される場合、互いに対応する位置に設けられることで第２固定磁石４３と第２後面磁石５６との間に発生する引力を利用して、引き出し部５０が開放された状態を固定させることができる。
【０１３６】
このとき、引き出し部５０は、容器本体２０に対してスライドされるとともにチルティングされて引き出されることができる。即ち、容器本体２０は、両内側面に直線区間２４及びカーブ区間２５からなるレール２３が備えられており、引き出し部５０の第１突起５３ａ及び第２突起５３ｂがレール２３に沿ってスライドされてからチルティングされながら容器本体２０から引き出されることができる。
【０１３７】
レール２３のカーブ区間２５は、引き出し部５０を引き出すとき、引き出し部５０が容器本体２０の下側方向にチルティングされるように誘導することができる。これにより、引き出し部５０の収納空間５２に塗布部材６０が収納される場合、引き出し部５０を開閉するときに内容物が吸収されて膨らんだ塗布部材６０または塗布部材６０のバンド部６１が引っかからずにスムーズに作動することができる。
【０１３８】
本発明の第５実施例では、レール２３が直線区間２４及びカーブ区間２５からなるものを説明したが、レール２３は直線区間２４だけが設けられてもよく、その他に引き出し部５０を一方向に引き出すことができる多様な構造で備えられてもよい。
【０１３９】
また、引き出し部５０を開放された状態で固定させるために、中容器４０の前面両端に設けられた第２固定磁石４３及び引き出し部５０の後面両端に設けられた第２後面磁石５６との間に発生する引力を利用したが、これに限定されず、引き出し部５０が開放された状態を固定するための磁石の位置は多様に変わってもよい。
【０１４０】
このように、引き出し部５０の開放及び閉鎖と、外蓋１０の閉鎖状態を固定する際に磁石を利用することで、引き出し部５０及び外蓋１０の閉鎖状態で固定力を保持し、引き出し部５０が閉鎖される過程でもソフトな結合感度を有することができる。
【０１４１】
以上、本発明を具体的な実施例を通じて詳細に説明したが、これは本発明を具体的に説明するためのものであり、本発明はこれに限定されず、本発明の技術的思想内で当該分野の通常の知識を有する者によってその変形や改良が可能であることは明らかである。
【０１４２】
本発明は、上記で説明した実施例に限定されず、上記実施例の組み合わせまたは上記実施例のうち少なくとも何れか１つと公知技術の組み合わせをさらに他の実施例として含むことができる。
【０１４３】
本発明の単純な変形ないし変更は全て本発明の領域に属し、本発明の具体的な保護範囲は添付の実用新案の請求の範囲によって明確になるだろう。
【符号の説明】
【０１４４】
１０  外蓋
１１  第１鏡
２０  容器本体
３０  内容器
３１  内蓋
３６  第２鏡
４０  中容器
５０  引き出し部
１００、２００、３００、４００、５００  化粧品容器
【図１】
2021517038.tif 000003
【図２】
2021517038.tif 000004
【図３】
2021517038.tif 000005
【図４（ａ）】
2021517038.tif 000006
【図４（ｂ）】
2021517038.tif 000007
【図４（ｃ）】
2021517038.tif 000008
【図４（ｄ）】
2021517038.tif 000009
【図５（ａ）】
2021517038.tif 000010
【図５（ｂ）】
2021517038.tif 000011
【図５（ｃ）】
2021517038.tif 000012
【図５（ｄ）】
2021517038.tif 000013
【図６】
2021517038.tif 000014
【図７】
2021517038.tif 000015
【図８】
2021517038.tif 000016
【図９】
2021517038.tif 000017
【図１０】
2021517038.tif 000018
【図１１（ａ）】
2021517038.tif 000019
【図１１（ｂ）】
2021517038.tif 000020
【図１２】
2021517038.tif 000021
【図１３（ａ）】
2021517038.tif 000022
【図１３（ｂ）】
2021517038.tif 000023
【図１３（ｃ）】
2021517038.tif 000024
【図１３（ｄ）】
2021517038.tif 000025
【図１４（ａ）】
2021517038.tif 000026
【図１４（ｂ）】
2021517038.tif 000027
【図１４（ｃ）】
2021517038.tif 000028
【図１５（ａ）】
2021517038.tif 000029
【図１５（ｂ）】
2021517038.tif 000030
【図１６（ａ）】
2021517038.tif 000031
【図１６（ｂ）】
2021517038.tif 000032
【図１６（ｃ）】
2021517038.tif 000033
【図１７】
2021517038.tif 000034
【図１８（ａ）】
2021517038.tif 000035
【図１８（ｂ）】
2021517038.tif 000036
【図１８（ｃ）】
2021517038.tif 000037
【国際調査報告】
2021517038.tif 000038
2021517038.tif 000039
2021517038.tif 000040
2021517038.tif 000041